(57)【特許請求の範囲】
【請求項１】
被写体の種別に応じた複数の撮影モードが選択的に設定可能なカメラ装置であって、
撮影した画像を撮影条件とともに画像データとして記録する画像記憶手段と、
前記撮影モード毎に応じて撮影時における装置の撮影条件を制御する制御手段と、
予め、前記撮影モードに対応した複数の見本画像と撮影条件の内容を説明する説明情報とを記憶する撮影条件記憶手段と、
前記画像記憶手段に記憶された画像の縮小画像とこの縮小画像と対応した撮影条件とを前記撮影条件記憶手段に追加記憶させる手段と、
前記撮影条件記憶手段に記憶された見本画像とこの見本画像に対応する説明情報、および前記縮小画像とを表示する表示手段と、
この表示手段に表示される前記見本画像および前記縮小画像を送り表示させるための操作手段と、
この表示手段に表示されている前記見本画像あるいは前記縮小画像を選択する選択手段と、
この選択手段により選択された前記見本画像あるいは前記縮小画像に対応する撮影モードを設定する設定する設定手段と
を備えたことを特徴とするカメラ装置。
【請求項２】
撮影した画像の画像データと撮影条件とを含む所定のフォーマット形式を有するファイルが前記画像記憶手段に記憶され、前記画像記憶手段は前記撮影条件記憶手段として機能することを特徴とする請求項１記載のカメラ装置。
【請求項３】
前記撮影条件記憶手段は前記撮影した画像が縮小された見本画像を記憶し、所定のモードで前記見本画像を前記表示手段に表示させる前記制御手段を備えるとともに、前記設定手段は、前記見本画像が前記表示手段に表示された状態での使用者の要求に応じて、当該見本画像とに対応するする撮影条件に基づき装置の撮影条件を設定することを特徴とする請求項１記載のカメラ装置。
【請求項４】
前記撮影条件記憶手段には、予め複数組の前記画像記憶手段に記憶された画像の縮小画像とこの縮小画像と対応した撮影条件とを記憶させる領域が確保されていることを特徴とする請求項１記載のカメラ装置。
【発明の詳細な説明】
【０００１】
【発明の属する技術分野】
本発明は、カメラ装置及び記録媒体、撮影モード設定データ作成装置に関する。
【０００２】
【従来の技術】
従来、例えば電子スチルカメラにおいては、シャッタースピード、絞り値といった装置側における各種の撮影条件を自動的に設定したり、又は撮影者の好みに応じて手動で設定したりできるようになっている。さらには、例えばポートレート、風景、夜景といった被写体の種別に適した撮影条件を自動的に設定する複数の撮影モードを用意しておき、かかる撮影モードを事前に撮影者に選択させることにより、シャッタースピード、絞り値等の専門的な知識を有していない初心者等であっても、より適切な撮影条件が設定できるようにしたものが多い。
【０００３】
【発明が解決しようとする課題】
しかしながら、前述した各種の撮影条件を撮影者が手動で設定した場合、必ずしも撮影者の意図にあった撮影結果が得られるとは限らなかった。また、予め用意されている撮影モードにより撮影条件を自動的に設定する場合においても、その撮影条件の設定内容が最大公約数的なものであることから、撮影者の好みに応じ撮影結果が得られるとは限らないという問題があった。
【０００４】
本発明は、かかる従来の課題に鑑みてなされたものであり、撮影者の好みに応じ撮影結果が得られる適切な撮影条件を容易に設定することができるカメラ装置、及び記録媒体、撮影モード設定データ作成装置を提供することを目的とする。
【０００５】
【課題を解決するための手段】
前記課題を解決するために請求項１の発明にあっては、被写体の種別に応じた複数の撮影モードが選択的に設定可能なカメラ装置であって、撮影した画像を撮影条件とともに画像データとして記録する画像記憶手段と、前記撮影モード毎に応じて撮影時における装置の撮影条件を制御する制御手段と、予め、前記撮影モードに対応した複数の見本画像と撮影条件の内容を説明する説明情報とを記憶する撮影条件記憶手段と、前記画像記憶手段に記憶された画像の縮小画像撮影した画像の撮影条件とこの縮小画像撮影条件と対応した撮影条件と画像とを前記撮影条件記憶手段に追加記憶させる手段と、前記撮影条件記憶手段に記憶された見本画像とこの見本画像に対応する説明情報、および前記縮小画像とを表示する表示手段と、この表示手段に表示される前記見本画像および前記縮小画像を送り表示させるための操作手段と、この表示手段に表示されている前記見本画像あるいは前記縮小画像を選択する選択手段と、この選択手段により選択された前記見本画像あるいは前記縮小画像に対応する撮影モードを設定する設定する設定手段とを備えたものとした。
【０００６】
かかる構成においては、使用者の要求があると、設定手段は表示中の画像を撮影した時点と同一の撮影条件を設定するため、使用者は、撮影結果のイメージを過去に撮影された画像で確認しながら、その画像の撮影時と同一の撮影条件を設定することができる。
【０００７】
また、請求項２の発明にあっては、撮影した画像の画像データと撮影条件とを含む所定のフォーマット形式を有するファイルが前記画像記憶手段に記憶され、前記画像記憶手段は前記撮影条件記憶手段として機能するものとした。かかる構成においては、装置の撮影条件を設定するときには、同種の装置によって撮影された画像を利用することができる。
【０００８】
また、請求項３の発明にあっては、前記撮影条件記憶手段は前記撮影した画像が縮小された見本画像を記憶し、所定のモードで前記見本画像を前記表示手段に表示させる前記制御手段を備えるとともに、前記設定手段は、前記見本画像が前記表示手段に表示された状態での使用者の要求に応じて、当該見本画像とに対応するする撮影条件に基づき装置の撮影条件を設定するものとした。
【０００９】
また、請求項４の発明にあっては、前記撮影条件記憶手段には、予め複数組の前記画像記憶手段に記憶された画像の縮小画像とこの縮小画像と対応した撮影条件とを記憶させる領域が確保されていることとした。
【００１５】
【発明の実施の形態】
以下、本発明の第１の実施の形態を図にしたがって説明する。図１は、本発明にかかる電子スチルカメラ１の外観を示す図であって、同図（ａ）は背面図、同図（ｂ）は平面図、同図（ｃ）は正面図である。
【００１６】
電子スチルカメラ１は、正面側に固定レンズ４、背面側にＴＦＴ液晶モニタ１８を有し、さらに光学ファインダ５１とストロボ１９とを有している。また、電子スチルカメラ１の背面部及び上面部には、電源スイッチ５２、シャッターキー５３、ズーム操作スイッチ５４、録画モード（ＲＥＣモード）と再生モード（ＰＬＡＹモード）の切り替え行う動作モード切り替えスイッチ５５、液晶モニタ・スイッチ５６、フラッシュ・キー５７、セルフタイマ・キー５８、メニュー・キー５９の各種スイッチが設けられている。
【００１７】
図２は、前記電子スチルカメラ１の電気的構成の概略を示すブロック構成図であり、電子スチルカメラ１は、撮像手段であるＣＣＤ２により撮像した画像を所定の規格に基づく符号化データに変換する等の画像処理機能を備えたＭＰＵ３を中心に構成されている。ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
【００１８】
また、ＭＰＵ３には、タイミング信号を発生するＴＧ（Ｔｉｍｍｉｎｇ  Ｇｅｎｅｒａｔｅｒ）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されユニット回路１２へ送られる。ユニット回路１２は、ＣＣＤ２から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ２の出力信号は、ここで黒レベルを合わせてサンプリングされデジタル信号としてＭＰＵ３に送られる。送られたデジタル信号（撮像信号）はＤＲＡＭ１３に一時保存されるとともに、ＭＰＵ３によって各種の画像処理が施された後、最終的には圧縮された映像信号データからなる画像ファイルとして本発明の画像記憶手段である、着脱可能なフラッシュメモリ（ＦＬＡＳＨ）１４に保存される。
【００１９】
図３は、フラッシュメモリ１４は保存される画像ファイル１００のフォーマットを示す概念図である。このフォーマットは、例えば統一規格ＤＣＦ（Ｄｅｓｉｇｎ  ｒｕｌｅ  ｆｏｒ  Ｃａｍｅｒａ  Ｆｉｌｅ  ｓｙｓｔｅｍ）に合致する画像フォーマットであって、主として符号化された画像データ（画像データ本体）、及び画像データの復号化に際して使用される符号／復号化テーブル等のデータを格納する画像データ格納領域１００ａと、撮影時の日付、及びシャッタ速度や絞り値といった撮影条件データ等の当該画像の付加的なデータを格納する付加データ格納領域１００ｂと、ユーザーが自由に使用できるユーザーデータ格納領域１００ｃから構成されている。そして、本実施の形態において前記画像ファイル１００の保存時には、記録する画像の縮小画像を生成し、生成した縮小画像の映像信号データを前記ユーザーデータ格納領域１００ｃに格納する。また、画像ファイル１００として保存された本体画像及び縮小画像の映像信号データは、必要に応じてＭＰＵ３に読み出され、伸長処理、輝度信号及び色信号の付加等の処理を経てデジタルビデオ信号やアナログビデオ信号に生成される。
【００２０】
さらに、ＭＰＵ３にはＭＲＯＭ１５と、電源回路１６、図１に示した各種のスイッチ群を含む操作キー部１７、前記ＴＦＴ液晶モニター１８、前記ストロボ１９が接続されている。ＭＲＯＭ１５は、ＭＰＵ３の動作プログラムが記録されたプログラムＲＯＭである。また、ＭＲＯＭ９には撮影時の適正な露出値（ＥＶ）に対応する絞り値（Ｆ）とシャッタースピードとの組み合わせを示すプログラム線図を構成するプログラムＡＥデータが格納されている。ＭＰＵ３は、内蔵するＲＡＭをワーキングメモリとして前記動作プログラムに従い動作することにより本発明の設定手段、制限手段として機能する。また、前記プログラム線図に従って前記ＣＣＤ２の電荷蓄積時間や、前記絞り６の開放度、前記ユニット回路１２のゲイン調整アンプ（ＡＧＣ）のゲイン設定等を行う。ＭＰＵ３が設定した電荷蓄積時間はシャッターパルスとして、ＴＧ１０を介してＶドライバー１１に供給され、これに従いＶドライバー１１がＣＣＤ２を駆動することにより電荷蓄積時間すなわち露光時間が制御される。つまりＣＣＤ２は電子シャッターとして機能する。また、ＭＲＯＭ９に格納された動作プログラムには、オートフォーカス制御に関するプログラムが含まれており、かかるプログラムに基づきＭＰＵ３は、前記フォーカスレンズ５を駆動させピント合わせ（オートフォーカス）を行う。
【００２１】
なお、ＭＲＯＭ１５に記憶されているプログラムデータ等は、その記録内容の保持が可能であれば、別途固定的に設けたもの、若しくは脱着自在に装着可能なＩＣカード等の他の記録媒体に記録される構成にしてもよく、更に、前記プログラムデータ等をパソコン等の他の機器から供給可能な構成としてもよい。
【００２２】
ＴＦＴ液晶モニター１８は、録画モードにおいては逐次撮像された画像をスルー画像として表示し、再生モードにおいては前記フラッシュメモリ１４に記録された画像データから生成されたアナログビデオ信号に基づく映像を表示する。ストロボ１９は、映像取り込みキーの操作時（撮影時）に必要に応じて駆動され補助光を発する。
【００２３】
次に、以上の構成からなる電子スチルカメラ１において、撮影者が、所定のキー操作により撮影条件の設定モードを選択して撮影条件を設定した後、撮影を行う場合における動作の一例を図４のフローチャートにしたがって説明する。
【００２４】
すなわち、撮影条件の設定モードが設定された状態で、ＴＦＴ液晶モニター１８に表示されたメニュー画面（図示せず）から「再生画像から設定」が選択されると（ステップＳＡ１でＹＥＳ）、再生画面選択モードに移行し前記フラッシュメモリ１４に記録されている画像をＴＦＴ液晶モニター１８に表示する（ステップＳＡ２）。また、このときには撮影者のキー操作により画面切り替え指定された場合には、フラッシュメモリ１４に記録されている画像を逐次再生してＴＦＴ液晶モニター１８に表示する。なお、このときには撮影者の要求に応じて前述した縮小画像を複数同時に表示させるようにしてもよい。
【００２５】
そして、かかる状態において、撮影者の所定のキー操作により表示されたいずれかの画像（又は縮小画像）が選択されると（ステップＳＡ３でＹＥＳ）、前述した画像ファイル１００の付加データ格納領域１００ｂから、選択された画像を撮影したときに取得された撮影条件データを読み込み（ステップＳＡ４）、その撮影条件データに基づいて撮影条件を設定すとともに、ＲＥＣモードに移行して撮影待機状態となる（ステップＳＡ５）。しかる後、撮影者がシャッターキー５３を押することにより、前述した撮影条件の下での撮影が完了する（ステップＳＡ６）。
【００２６】
すなわち撮影者は、新たな撮影を行うとき、撮影結果のイメージをＴＦＴ液晶モニター１８に表示されている過去に撮影された画像で確認しながら、その画像の撮影時と同一の撮影条件を設定することができる。これにより、撮影者は、自己の好みに応じ撮影結果が得られる適切な撮影条件を容易に設定することができる。なお、本実施の形態においては、撮像した画像を前述した画像フォーマット１００（図３参照）の形式で保存しており、撮影条件の設定に用いられる撮影条件データが画像データと一体不可分にフラッシュメモリ１４に保存する構成される場合を示したが、画像データとの対応関係が確認できる状態であれば、前記撮影条件データを画像データと分離して記憶させるようにしても構わない。但し、本実施の形態のように、両者を画像ファイル内に一体不可分に記憶させた方が、電子スチルカメラ１と同種の他の電子スチルカメラによって、自己又は他人が撮影した画像を撮影条件の設定に用いることができる点で有利である。
【００２７】
次に、本発明の第２の実施の形態を図にしたがって説明する。すなわち、本実施の形態は、図１及び図２に示したと同様の構成を有する電子スチルカメラに関するものである。
【００２８】
すなわち本実施の形態における電子スチルカメラにあっては、前述したＭＲＯＭ１５に、第１の実施の形態で既説したデータとは別に、図４及び図５に示した撮影条件データ１０１、図６に示した付加情報データ１０２、図７（ａ）〜（ｃ）に例示したような複数の見本画像１０３を構成する画像データが記憶されている。前記撮影条件データ１０１は、後述するシーンセレクトモードの設定時に選択可能な複数のシーン撮影モード（本実施の形態では２４種類）の各々に対応して予め設定されている電子スチルカメラの撮影条件を示す本発明における設定データであって、より具体的には、図示したような以下のデータから構成されている。すなわち、フォーカス制御、シャッター速度、絞り、ＥＶシフト量、感度、・・・といった電子スチルカメラ１において制御可能な複数の制御項目の制御内容を示すパラメータ、つまり第１の実施の形態における撮影条件データと同様のデータにより構成されている。
【００２９】
前記付加情報データ１０２（図７）は、撮影条件データとともに上記シーン撮影モードに対応して記憶されている付加情報データであり、具体的には、「風景と人物を写します。」といったシーン説明、「ズームを使うと背景がキレイにボケます。」といったアドバイス情報、「マクロモードになり、彩度が高めに設定されます。」といった制御説明の３種類のコメントデータによって構成されている。図８に示した複数の見本画像１０３は、前記撮影条件データ、前記付加情報データと共に各シーン撮影モードに対応するとともに、各シーン撮影モードでの撮影に適した被写体の見本となる画像である。なお、図８（ａ）は、シーン撮影モードの「１」（人と風景１）に対応する見本画像、同図（ｂ）は、シーン撮影モードの「２」（人と風景２）に対応する見本画像、同図（ｃ）は、シーン撮影モードの「３」（アップ）に対応する見本画像の例である。
【００３０】
また、これらの各データは、電子スチルカメラの使用開始時には、前述したＤＲＡＭ１３の所定記憶領域に展開され、全体として単一の撮影条件データテーブルを構成されるものであって、ＤＲＡＭ１３に転記された状態においては、前述した２４種類のシーン撮影モードとは別に、ユーザーが使用可能な５種類のシーン撮影モード、すなわち撮影モード番号が「２５」〜「２９」の使用領域が確保されるようになっている。
【００３１】
次に、以上の構成からなる本実施の形態において、使用者が新たなシーン撮影モードを設定（登録）する場合の手順を図９のフローチャートに従って説明する。すなわち、使用者による所定のキー操作によって撮影条件プリセットモードが設定されると（ステップＳＢ１でＹＥＳ）、プリセット選択画面選択モードに移行し前記フラッシュメモリ１４に記録されている画像をＴＦＴ液晶モニター１８に表示する（ステップＳＢ２）。また、このときには撮影者のキー操作により画面切り替え指定された場合には、フラッシュメモリ１４に記録されている画像を逐次再生してＴＦＴ液晶モニター１８に表示する。なお、このときには撮影者の要求に応じて前述した縮小画像を複数同時に表示させるようにしてもよい。
【００３２】
そして、かかる状態において、撮影者の所定のキー操作により、表示されたいずれかの画像（又は縮小画像）が選択されると（ステップＳＢ３でＹＥＳ）、前述した画像ファイル１００の付加データ格納領域１００ｂから、選択された画像を撮影したときに取得された撮影条件データを読み込み、その撮影条件データを、前述した撮影条件データテーブルの撮影モード番号が「２５」〜「２９」のうちの未だデータが記憶されていない使用領域に記憶する（ステップＳＢ４）。さらに、選択された画像をＴＦＴ液晶モニター１８に表示するサイズに変換し、変換した縮小画像、又は画像ファイル１００から読み出した縮小画像をそのまま見本画像として前記撮影条件データテーブルの構成データとしてＤＲＡＭ１３に記憶する（ステップＳＢ５）。しかる後、撮影者による所定のキー操作によって画像のプリセット操作が完了されることにより、新たなシーン撮影モードの設定（登録）を終了する（ステップＳＢ６）。
【００３３】
なお、以上の説明においては、画像ファイル１００から得られる撮影条件データと見本画像とをＤＲＡＭ１３に記憶させるようにしたが、例えばユーザーが使用可能な５種類のシーン撮影モード（撮影モード番号「２５」〜「２９」）の使用領域を前記フラッシュメモリ１４の所定領域に設定しておき、その所定領域に撮影条件データと見本画像とを記憶させるようにしてもよい。その場合には、フラッシュメモリ１４を本実施の形態と同種の他の電子スチルカメラに装着することにより、上記のシーン撮影モードの設定操作で設定（登録）した新たなシーン撮影モードの使用が可能となる。
【００３４】
一方、図１０は、シーン撮影モードの設定操作が行われた後、前述したメニュー・キー５９の操作によりモード選択が指定された場合の動作を示すフローチャートである。
【００３５】
すなわち、本実施の形態の電子スチルカメラにあっては撮影モードの設定モードが選択されると、先ず、ＴＦＴ液晶モニター１８に図１１に示したようなモード選択画面２０１を表示する（ステップＳＣ１）。モード選択画面２０１は、撮影者に従来技術で説明したと同様の「通常（フルオート）」、「ポートレート」、「風景」、「夜景」の３つの撮影モードと、前述した撮影条件データテーブルを利用した撮影モードを指定するためのシーンセレクトモードと、所定の機能設定モードとのいずれかを選択させるための画面であって、これらの選択候補を示す表示するとともに、この画面を表示した状態において所定の操作に割り当てられているキーの説明を同時に表示する。
【００３６】
次に、シーンセレクトモードが選択されたか否かを判別し（ステップＳＣ２）。ここで、シーンセレクトモードが選択されなければ（ステップＳＣ２でＮＯ）、ステップＳＣ１へ戻って他のモードが選択されれば、そのモードの動作に移行する。一方、シーンセレクトモードが選択されていたときには、ＴＦＴ液晶モニター１８の表示を、図１２に示したシーンセレクト選択画面２０２へ切り替える（ステップＳＣ３）。
【００３７】
ここで表示されるシーンセレクト選択画面２０２には、撮影モードのシーン番号「１」と、これに対応する見本画像１０３、付加情報つまりシーン説明（「風景と人物を写します。」）、アドバイス情報（「フレームが表示されます。」）を表示する。なお、対応する制御説明が存在するシーン番号の見本画像１０３を表示する場合には、その制御説明も表示する。また、シーンセレクト選択画面２０２にも、所定の操作に割り当てられているキーの説明も引き続き表示する。しかる後、選択ボタン（本実施の形態では、ズームボタン５４の［＋］と［−］）の操作に応じて、シーンセレクト選択画面２０２を構成するシーン番号「１」と見本画像１０３と付加情報とをシーン番号順に昇順又は降順に変更しながら変更、つまり送り表示を行う（ステップＳＣ４）。この間には、前述したシーン撮影モードの設定操作で設定された見本画像（縮小画像）も表示される。
【００３８】
一方、その間に、いずれかの見本画像１０３等が表示された状態、つまりいずれかの撮影モードが選択されている状態でシャッターキー５３（決定キー）が押されると（ステップＳＣ５でＹＥＳ）、電子スチルカメラにおける撮影時の撮影条件を、選択された見本画像１０３が対応するシーン番号に応じて設定されているパラメータに基づき設定するとともに、ＲＥＣモードに移行しＴＦＴ液晶モニター１８にスルー画像を表示し（ステップＳＣ６）、撮影待機状態となる。
【００３９】
つまり、撮影者によって、これから撮影しようとする被写体に対応する見本画像１０３が選択されると、その被写体の撮影に適した撮影条件が自動的に設定される。これにより、撮影者は、自己の好みに応じた撮影結果を簡単に得ることができる。
【００４０】
そして、シャッターキー５３が押されるまで前述したスルー画像３０１の表示状態を維持するとともに（ステップＳＣ７でＮＯ）、その間に、シャッターキー５３が押されれば（ステップＳＣ７でＹＥＳ）、前述したステップＳＣ６で設定された撮影条件下での撮像を行うとともに、撮像した画像を記録する（ステップＳＣ８）。しかる後、シーンセレクトモードが解除されるまで（ステップＳＣ９でＮＯ）、前述したステップＳ４以降の動作を繰り返し行うとともに、シーンセレクトモードが解除された場合にはステップＳ１へ戻り前述した処理を繰り返す。
【００４１】
ここで、本実施の形態においては、前述したシーン撮影モードの設定操作において、使用者が過去に撮影した画像（画像ファイル１００）を用いて設定された新たな撮影条件は、その画像を消去した後であっても使用することができる。また、使用者は、予め用意されている既存の撮影条件における見本画像１０３（本実施の形態では撮影モード番号が「１」〜「２４」の見本画像）を参考にしながら、自己の好みに応じた新たな撮影条件を設定することができる。したがって、前述した第１の実施の形態に比較すると、撮影者が好みに応じ撮影結果が得られる適切な撮影条件を設定し、かつそれを使用する場合における使用環境が良好である。
【００４２】
なお、本実施の形態においては、予め用意された既存の撮影条件のデータＭＲＯＭ１５に記憶されている場合について説明したが、例えばパソコンなどの他の装置から、或いはインターネット等を用いた通信手段を介して他の装置から供給される構成であっても構わない。
【００４３】
【発明の効果】
以上説明したように本発明においては、使用者が撮影結果のイメージを過去に撮影された画像で確認しながら、その画像の撮影時と同一の撮影条件を設定することができるようにした。よって、使用者（撮影者）は、自己の好みに応じ撮影結果が得られる適切な撮影条件を容易に設定することが可能となる。
【図面の簡単な説明】
【図１】本発明の実施の形態に係る電子スチルカメラの外観を示す図である。
【図２】同電子スチルカメラのブロック構成図である。
【図３】フラッシュメモリに記憶する画像データのフォーマットを示す概念図である。
【図４】本発明の第１の実施の形態に係る電子スチルカメラの動作を示すフローチャートである。
【図５】本発明の第２の実施の形態に係るプログラムＲＯＭに記録されている撮影条件データを示す概念図である。
【図６】図５の下に続く図である。
【図７】同プログラムＲＯＭに記録されている付加情報データを示す概念図である。
【図８】同プログラムＲＯＭに記録されている見本画像を示す図である。
【図９】撮影条件データの登録動作を示すフローチャートである。
【図１０】シーンセレクトモードを用いた撮影時における電子スチルカメラの動作を示すフローチャートである。
【図１１】モードの選択画面を示す図である。
【図１２】シーンセレクト選択画面、及びその変化を示す図である。
【符号の説明】
１    電子スチルカメラ
２    ＣＣＤ
３    ＭＰＵ
１３    ＤＲＡＭ
１４    フラッシュメモリ
１５    ＭＲＯＭ
１０１    撮影条件データ
１０２    付加情報データ
１０３    見本画像
１０４    選択履歴テーブル
２０２    シーンセレクト選択画面
２０４    フレーム画像
３０１    スルー画像
【図１】
0003925054.tif 000002
【図２】
0003925054.tif 000003
【図３】
0003925054.tif 000004
【図４】
0003925054.tif 000005
【図５】
0003925054.tif 000006
【図６】
0003925054.tif 000007
【図７】
0003925054.tif 000008
【図８】
0003925054.tif 000009
【図９】
0003925054.tif 000010
【図１０】
0003925054.tif 000011
【図１１】
0003925054.tif 000012
【図１２】
0003925054.tif 000013